(57)【特許請求の範囲】
【請求項１】
ロール紙軸の芯部に巻かれたロール紙を収容するロール紙収納カセットであり、
互いに開閉可能な１対のケースと、前記ロール紙のサイズに応じて前記ケースの両端部の内側に着脱できるアタッチメントと、前記アタッチメントの取り外し状態では、特定の種類の前記ロール紙軸の進入を妨げるとともに、他の特定の種類の前記ロール紙軸の進入を許容し、前記アタッチメントの取り付けによって、前記特定の種類の前記ロール紙軸の進入を妨げる位置から移動させられる規制部材とを有している、ロール紙収納カセット。
【請求項２】
芯部と、前記芯部の端面から突出する前記芯部より小さい径の端部と、前記端部から突出し、前記端部より小さい径の被支持部とを有しているロール紙軸の前記芯部に巻かれた前記ロール紙を収容するロール紙収納カセットであり、
前記規制部材は、前記アタッチメントの取り外し状態では、前記他の特定の種類のロール紙軸を前記ロール紙収納カセットの内部に収容する際に、被支持部と接触せず、かつ対向する位置であって、前記特定の種類のロール紙軸を前記ロール紙収納カセットの内部に収容しようとすると、前記端部と当接して前記ロール紙収納カセットの内部への進入を規制する位置にある、請求項１に記載のロール紙収納カセット。
【請求項３】
前記アタッチメントには突起が設けられており、前記アタッチメントが取り付けられると、前記アタッチメントの前記突起が前記規制部材を移動させ、移動した前記規制部材は、前記特定の種類のロール紙軸を前記ロール紙収納カセットの内部に収容する際、前記端部に当接せず、進入を許容する、請求項２に記載のロール紙収納カセット。
【請求項４】
前記ケースの端部の内面には、前記端部の端面の周上のある位置から、前記端面の中心を通って延びている凹状の溝が設けられ、かつ、前記凹状の溝の内部に、前記凹状の溝に沿って前記端部を貫通している被支持部用溝が設けられており、
前記凹状の溝の幅＞前記ロール紙軸の前記端部の径＞被支持部用溝の幅＞前記ロール紙軸の前記被支持部の径、の関係が成り立つ、請求項２または３に記載のロール紙収納カセット。
【請求項５】
サイズの異なる２種類のロール紙のうち、大きいサイズの前記ロール紙の内径をＤｒ１、小さいサイズの前記ロール紙の内径をＤｒ２、大きいサイズ用の前記ロール紙軸の前記芯部の径をＤｃ１、前記端部の径をＤｓ１、前記被支持部の径をＤｐ１、前記端部同士の間の長さをＬｃ１、小さいサイズ用の前記ロール紙軸の前記芯部の径をＤｃ２、前記端部の径をＤｓ２、前記被支持部の径をＤｐ２、前記端部同士の間の長さをＬｃ２とすると、Ｄｒ１＞Ｄｃ１＞Ｄｒ２＞Ｄｃ２、およびＬｃ２＞Ｌｃ１、Ｄｐ１＝Ｄｐ２の関係が成り立つ、請求項２から４のいずれか１項に記載のロール紙収納カセット。
【請求項６】
前記ケースのロール紙収納幅をＷｒ１、前記ケースの被支持部用溝の幅をＭ１、前記ケースの凹状の溝の幅をＭ２とすると、Ｍ２＞Ｄｓ２＝Ｄｓ１＞Ｍ１とＬｃ２＞Ｗｒ１＞Ｌｃ１の関係が成り立つ、請求項５に記載のロール紙収納カセット。
【請求項７】
前記２種類のロール紙よりも小さい、最も小さいロール紙のための前記ロール紙軸は、前記芯部と、前記端部との間に段部を有しており、
前記アタッチメントの前記溝の幅は前記ケースの端部側で小さく、前記ケースの前記ロール紙が収容される側で大きくなっており、
前記最も小さいロール紙の幅をＬｒ３、内径をＤｒ３、前記段部同士の間の長さをＬｃ３、前記芯部の径をＤｃ３、前記段部の径をＤｓ３、前記ロール紙収納幅をＷｒ３、前記アタッチメントの前記溝の幅が変わる位置同士の間の長さをＷｒ４とすると、Ｄｃ２＞Ｄｒ３＞Ｄｃ３、Ｗｒ４＞Ｌｃ３＞Ｗｒ３＞Ｌｒ３が成り立つ、請求項６に記載のロール紙収納カセット。
【請求項８】
請求項１から７のいずれか１項に記載のロール紙収納カセットと、インクリボンが収容されているインクリボンカセットと、記録部を有する記録装置本体と、を有する、記録装置。
【請求項９】
記録装置本体には複数の突起を有するアタッチメント識別用センサが設けられており、一方の前記アタッチメントの、前記ケースの端部側には検知用突起が設けられており、前記ケースの一方の端部には、凹部と、前記凹部を貫通する孔を有する前記ロール紙の判別部が設けられている、請求項８に記載の記録装置。
【請求項１０】
芯部と、前記芯部の端面から突出する前記芯部より小さい径の端部と、前記端部から突出し、前記端部より小さい径の被支持部とを有しているロール紙軸の前記芯部に巻かれた前記ロール紙を収容するロール紙収納カセットにおける、サイズの異なるロール紙の誤装填防止方法であり、
前記ロール紙収納カセットは、互いに開閉可能な１対のケースと、前記ロール紙のサイズに応じて前記ケースの両端部の内側に着脱できるアタッチメントと、規制部材とを有しており、
前記アタッチメントを取り付けていない状態では、
特定の種類の前記ロール紙軸を前記ロール紙収納カセットに収納しようとすると、前記規制部材を前記特定の種類のロール紙軸の端部と当接させて、前記ロール紙収納カセットの内部への前記特定の種類のロール紙軸の進入を規制しつつ、
他の特定の種類のロール紙軸を前記ロール紙収納カセットに収納する際には、前記規制部材を前記ロール紙軸に対し接触させずに対向させて、前記他の特定の種類のロール紙軸の進入を許容し、
前記アタッチメントを取り付けることで、前記規制部材を前記特定の種類のロール紙軸の端部と当接しない位置に移動させて、前記特定の種類のロール紙軸を前記ロール紙収納カセットの内部に進入を許容する、誤装填防止方法。
【請求項１１】
突起が設けられたアタッチメントを、前記ロール紙のサイズに応じて前記ケースの両端部の内側に取り付け、前記突起により前記規制部材を前記特定の種類のロール紙軸の端部と当接しない位置に移動させ、前記特定の種類のロール紙軸の前記ロール紙収納カセットの内部への進入を許容する、請求項１０に記載の誤装填防止方法。
【請求項１２】
前記ケースの端部の内面には、前記端部の端面の周上のある位置から、前記端面の中心を通って延びている凹状の溝を設けて、かつ、前記凹状の溝の内部に、前記凹状の溝に沿って前記端部を貫通している被支持部用溝を設けて、
前記凹状の溝の幅＞前記ロール紙軸の前記端部の径＞前記被支持部用溝の幅＞前記ロール紙軸の前記被支持部の径となるようにし、
前記特定の種類のロール紙軸の前記端部同士の間の長さ＞前記ケースのロール紙収納幅＞前記他の特定の種類のロール紙軸の前記端部同士の間の長さとなるようにし、
前記アタッチメントを前記ケースに取り付けていないときには、前記他の特定の種類のロール紙軸だけを前記ロール紙収納カセットに進入できるようにする、請求項１１に記載の誤装填防止方法。
【請求項１３】
前記特定の種類のロール紙軸は小さいサイズのロール紙のためのロール紙軸であり、前記他の特定の種類のロール紙軸は大きいサイズのロール紙のためのロール紙軸であり、
大きいサイズの前記ロール紙の内径をＤｒ１、小さいサイズの前記ロール紙の内径をＤｒ２、大きいサイズ用の前記ロール紙軸の前記芯部の径をＤｃ１、小さいサイズ用の前記ロール紙軸の前記芯部の径をＤｃ２とすると、Ｄｒ１＞Ｄｃ１＞Ｄｒ２＞Ｄｃ２が成り立つようにして、大きいサイズのロール紙のための前記ロール紙軸を、前記小さいサイズのロール紙に挿入できないようにする、請求項１０から１２のいずれか１項に記載の誤装填防止方法。
【発明の詳細な説明】
【技術分野】
【０００１】
本発明は記録装置に関し、特にロール紙を収容するロール紙収納カセットに関する。
【背景技術】
【０００２】
記録媒体としてロール紙を使用する昇華型記録装置が業務用として広く普及しており、家庭用としても普及してきている。
【０００３】
ロール紙を利用する利点は、用紙を連続して供給できるため、連続記録を行なう場合に短冊状用紙の給紙に比べて短い時間で給紙動作を完了することができる。このため、短冊状の用紙よりもロール紙の方が大量に連続記録を行なう場合には短時間で全ての記録を完了できる。また、他の利点としては、記録物に余白部分が残らない、つまり、ふちなし記録が容易に可能ということがある。さらに、新しいロール紙を使うときに、ロール紙が収納されたロール紙収納ケースごと交換するのではなく、ユーザーがロール紙を用意し、ロール紙にロール紙軸を通してロール収納カセットに入れ、プリンタ本体に装填することで、記録費用を低コスト化できる。
【０００４】
従来技術のロール紙収納カセットは、ロール紙が収容されるカセット本体部と、ロール紙の回転を促進する回転ローラを有するカセット蓋と、一方がカセット本体部に、他方が連結部を介してカセット蓋に接続されているアームとを有する（例えば特許文献１）。
【０００５】
このロール紙収納カセットは、前述の連結部を中心に回転することで、カセット蓋によってカセット本体部が閉じられる。ロール紙収納カセットにロール紙を収容した状態で、記録装置本体に設置、または記録装置本体からの取り出しがされる。
【先行技術文献】
【特許文献】
【０００６】
【特許文献１】特開２００６−３０６５１１号公報
【発明の概要】
【発明が解決しようとする課題】
【０００７】
しかしながら、ロール紙を使い切る前に前述したロール紙収納カセットからロール紙を取り出そうとすると、ロール紙が解けて広がってしまう場合がある。再度このロール紙を使う場合は、ユーザーがロール紙を巻き締めてからロール紙収納カセットに収容する必要がある。また、ロール紙は記録面を内側にして巻かれているため、ユーザーが記録面に触ることはないが、ロール紙が解けて広がった時にはユーザーが記録面を触ってしまう可能性がある。このような場合、記録面のユーザーが触った部分は、昇華したインクがつきにくくなり、記録品質が悪くなる可能性がある。
【０００８】
さらに、記録装置は、利便性から複数サイズのロール紙が使用可能であり、ロール紙を使い切る前の途中交換も可能にしておく必要がある。しかしながら、ロール紙を交換するために、ロール紙を使用し切る前にロール紙収納ケースから取り出そうとすると、上述した問題が生じる。したがって、一度ロール紙をロール紙収納カセットに入れたら、使い切るまでロール紙収納カセットを開かないことが望ましい。つまり、ロール紙の種類に応じたロール紙収納カセットを用意しておいた方がロール紙を汚すことなく保管することができ、カセット種別の誤検知を防ぐこともでき、さらに、ロール紙の交換もカセットを入れ替えるだけの作業で行なうことができる。
【０００９】
しかしながら、記録装置が複数のロール紙のサイズに対応する場合には２つの課題がある。
【００１０】
第１の課題は、ロール紙のサイズごとに専用のロール紙収納カセットをつくった場合、ユーザーは必ずロール紙のサイズに応じた複数のロール紙収納カセットを用意する必要があり、記録するためのコストが高くなってしまう。
【００１１】
第２の課題は、記録費用の低コスト化のため、ユーザーがロール紙にロール紙軸を挿入してロール紙収納カセットに装填する場合に、ロール紙、ロール紙軸およびロール紙収納カセットの組み合わせが一致していない状態で使用してしまう場合がある。ロール紙、ロール紙軸およびロール紙収納カセットの組み合わせが一致していない状態で使用すると、記録範囲やロール紙の送り量の不一致が起こり、はみ出しや余白ができてしまい記録品質が低下してしまう。
【００１２】
本発明は、上記課題を鑑みてなされたものであり、ロール紙のサイズに応じたロール紙収納カセットが必要なく、ロール紙、ロール紙軸およびロール紙収納カセットの誤装填を防止する、ロール紙収納カセットおよび記録装置を提供する。
【課題を解決するための手段】
【００１３】
本発明のロール紙軸の芯部に巻かれたロール紙を収容するロール紙収納カセットは、互いに開閉可能な１対のケースと、ロール紙のサイズに応じてケース両端部の内側に着脱できるアタッチメントとを有する。また、アタッチメントの取り外し状態では、特定の種類のロール紙軸の進入を妨げ、かつ、他の特定の種類のロール紙軸の進入を許容し、アタッチメントの取り付けによって、特定の種類のロール紙軸の進入を妨げる位置から移動させられる規制部材を有している。
【発明の効果】
【００１４】
１つのロール紙収納カセットを複数のサイズのロール紙に使用することができ、ロール紙、ロール紙軸およびロール紙収納カセットの誤装填を防止することができる。
【図面の簡単な説明】
【００１５】
【図１】本発明に係る記録装置の一実施形態の外観概略図である。
【図２】本発明に係る記録装置の要部の概略構成図である。
【図３】ロール紙軸を装着したロール紙と、開いた状態のロール紙収納カセットの概略斜視図を示している。
【図４】片寄ガイドの加圧方法について説明する図である。
【図５】上ケースを閉じた状態のロール紙収納カセットの端面の概略図である。
【図６】ロール紙軸を装着したポストカードサイズのロール紙と、開いた状態のアタッチメントを装着したロール紙収納カセットの概略斜視図である。
【図７】図２に示すロール紙とロール紙軸を説明するための図である。
【図８】図６に示すポストカードサイズのロール紙とロール紙軸を説明するための図である。
【図９】ロール紙収納カセットの下ケースの上面図である。
【図１０】アタッチメントの概略斜視図である。
【図１１】アタッチメントが取り付けられたときのロール紙収納ケースの概略構成図である。
【図１２】図９に示す下ケースのＳ−Ｓ断面の概略図である。
【図１３】カードサイズのロール紙を使用するときのロール紙収納カセットの概略構成図である。
【図１４】カードサイズのロール紙とロール紙軸を説明するため図である。
【図１５】アタッチメントを取り付けたときのロール紙収納カセットの下ケースの上面図である。
【発明を実施するための形態】
【００１６】
以下に、添付の図面に基づき、本発明の実施の形態を説明する。なお、同一の機能を有する構成には添付図面中、同一の番号を付与し、その説明を省略することがある。
【００１７】
［実施形態１］
図１は、本発明に係る記録装置の一実施形態の外観概略図である。
【００１８】
本発明の記録装置は、記録装置本体３と、記録装置本体に収容されるインクリボンカセット２とロール紙収納カセット１とで構成されており、インクリボンカセット２とロール紙収納カセット１は、記録装置本体３から着脱可能である。記録を行なう際には、インクリボンカセット２と、後述するロール紙Ｒ１を収納および保持するためのロール紙収納カセット１とを記録装置本体３に装填する。その後、記録装置本体３のタッチパネルなどの操作部３０１で記録したい画像を選択し、ロール紙Ｒ１（図２等参照）への記録を行う。
【００１９】
図２は、本発明に係る記録装置の要部の概略構成図である。記録装置本体３にロール紙収納カセット１とインクリボンカセット２とがセットされた状態を示している。
【００２０】
ロール紙収納カセット１内に、記録媒体であるロール紙Ｒ１がロール紙軸１０２にロール状に巻き回されている。ロール紙収納カセット１には、ロール紙収納カセット１内からロール紙Ｒ１を排出できるように、カセット出口１０４ｄが設けられている。不図示のモータにより駆動され、ロール紙収納カセット１内のロール紙Ｒ１をカセット出口１０４ｄに搬送する、給紙ローラ３１１が記録装置本体３に設けられている。
【００２１】
ロール紙収納カセット１の、ロール紙Ｒ１の搬送経路の下流には、表面に突起を有するグリップローラ３１３と、ロール紙Ｒ１の搬送経路を挟んでグリップローラ３１３と対向する位置にある従動ローラであるピンチローラ３１４とのローラ対Ｘが設けられている。ピンチローラ３１４をグリップローラ３１３の方向に強く付勢することでグリップローラ３１３の表面の突起（図示せず）がロール紙Ｒ１の背面に押し付けられ、ローラ表面とロール紙Ｒ１とのすべりが防止される。そのため、ロール紙Ｒ１は、所望の距離を精度よく搬送される。
【００２２】
ローラ対Ｘの下流側には、記録部が設けられている。記録部には、サーマルヘッド３１５と、ロール紙Ｒ１の搬送経路を挟んでサーマルヘッド３１５と対向する位置にあるプラテンローラ３１６とが設けられている。サーマルヘッド３１５は、不図示の回動中心を備える取り付けフレーム及び不図示の弾性部材と略一体的に構成されており、不図示のカムギア等の制御によって取り付けフレームと一体的にプラテンローラ３１６に向かって移動可能である。
【００２３】
インクリボンカセット２には、インクリボン２０３を収納しておく供給側ボビン２０１と、使用したインクリボン２０３を巻き取っていく巻取り側ボビン２０２とが設けられている。インクリボンカセット２が記録装置本体３に装着されると、供給側ボビン２０１と巻取り側ボビン２０２はそれぞれ記録装置本体３に設けられた軸に支持される。そして、巻取り側ボビン２０２はグリップローラ３１３を駆動する動力と同じ動力源により回転駆動される。供給側ボビン２０１は自由に回転可能になっている。インクリボン２０３は供給側ボビン２０１に巻かれ、先端は、巻取り側ボビン２０２につながっているため、巻取り側ボビン２０２が回転することでインクリボン２０３が供給側ボビン２０１から巻き取られる。
【００２４】
サーマルヘッド３１５は複数の発熱素子を有する加熱部を備えており、記録情報に応じて発熱素子を選択的に加熱し、インクリボン２０３上に一様に塗布されたインクをロール紙Ｒ１に熱転写する。具体的には、サーマルヘッド３１５をプラテンローラ３１６に向かって押圧し、供給側ボビン２０１から供給されるインクリボン２０３とロール紙Ｒ１とを適当な圧力及び適当な温度で圧着させることで、ロール紙Ｒ１へのインクの熱転写を可能としている。
【００２５】
図示していないが、記録部の、ロール紙Ｒ１の搬送経路の下流側には、ロール紙Ｒ１の記録部分を切断するカッターや、ロール紙Ｒ１から切り離された記録物を不図示の収容部に搬送する不図示の搬送ローラなどが設けられている。
【００２６】
ここで、記録動作について説明する。給紙時にロール紙Ｒ１を下流側にあらかじめ記録に必要な長さを引き出しておき、画像データの準備ができると、サーマルヘッド３１５をプラテンローラ３１６方向へ加圧してグリップローラ３１３でロール紙Ｒ１を上流側へ搬送しながら記録が行なわれる。記録時にはサーマルヘッド３１５とプラテンローラ３１６によってロール紙Ｒ１とインクリボン２０３が圧接され、サーマルヘッド３１５に設けられた発熱素子によって熱が加えられることによってインクリボン２０３のインクがロール紙Ｒ１に転写されていく。ロール紙Ｒ１の搬送方向（上流側）と同方向にインクリボン２０３も搬送されており、使用後のインクリボンは巻取り側ボビン２０２へ巻き取られていく。
【００２７】
本実施形態の記録装置は昇華型であるため、写真などのカラー印刷の場合は、イエロー、マゼンタ、シアンと色を重ねる必要がある。このため、１色目のイエローの記録が終わると再度、ロール紙Ｒ１を記録開始位置まで搬送し、イエローと同様にマゼンタの記録を行う。同様の動作を色の数だけ行い、全部の色の記録が完了する。そして、ロール紙Ｒ１を搬送し、カッターでロール紙Ｒ１から記録部分をカットし、搬送ローラで収容部に排紙する。続けて次の画像を記録する場合は、ロール紙Ｒ１を記録開始位置まで搬送し、再び記録動作に入る。次の画像を記録しない場合は給紙ローラ３１１を給紙時とは逆回転させ、ロール紙Ｒ１の先端をロール紙収納カセット１の内部へ引き込んで、待機状態になる。
【００２８】
図３は、ロール紙軸１０２を装着したロール紙Ｒ１と、ロール紙収納カセット１を開いた状態の概略斜視図を示している。この図を用いてロール紙収納カセット１の構成をさらに詳しく説明する。
【００２９】
ロール紙収納カセット１の構成は主にロール紙Ｒ１と、ロール紙収納ケース１０と、ロール紙軸１０２との３つで構成される。ロール紙Ｒ１を交換する方法の一例としては、ユーザーがロール紙Ｒ１のみを用意し、ロール紙軸１０２を挿入し、ロール紙収納カセット１に収容する。この方法では、ロール紙Ｒ１を使い切った後は廃棄や紙回収およびリサイクルをするものがないので、低コストおよび省資源の利点がある。その他の方法としては、使い勝手を優先する場合は、ロール紙Ｒ１をあらかじめロール紙軸１０２に巻きつけた状態にしておいたり、ロール紙収納カセット１にロール紙Ｒ１がセットされた状態にしておいたりするなど、目的に応じて様々な形態をとることができる。
【００３０】
ロール紙収納カセット１は上ケース１０３と下ケース１０４からなる開閉可能な１対のケースを有し、下ケース１０４に対して上ケース１０３が開閉するようになっている。両方のケース１０３、１０４の内周面には搬送抵抗を減らすためリブ１０３ａ、１０４ａと従動コロ１０５が複数設けられている。下ケース１０４の両端部の内面には、端面の周上のある位置から、端面の中心を通り、ある位置と点対称となるような端面の周上の位置の近傍まで、後述するロール紙軸の突起部をガイドする凹状の溝１０４ｅが設けられている。また、凹状の溝１０４ｅの内部には、凹状の溝に沿って端面を貫通しているロール紙軸の被支持部用の溝１０４ｂが設けられている。凹状の溝１０４ｅの幅は、被支持部用溝１０４ｂの幅よりも大きい。
【００３１】
上ケース１０３にはロール紙軸１０２を付勢するための加圧バネ１０６と付勢方向にスライド可能な加圧ガイド１０７が取り付けられている。この加圧バネ１０６と加圧ガイド１０７は上ケース１０３の両端に設けられており、ロール紙軸１０２の被支持部１０２ｂ（図７参照）を均一に付勢することができるようになっている。また、記録装置本体３に設けられた給紙ローラ３１１とロール紙Ｒ１とを接触させるための開口である給紙ローラ用開口部１０４ｉが設けられている。
【００３２】
下ケース１０４の端面の内壁１０４ｃは、ロール紙Ｒ１が幅方向に移動するのを規制する壁になっており、ロール紙Ｒ１の蛇行や幅方向の位置ずれを軽減する役割をしている。下ケース１０４の片方の端面にはロール紙Ｒ１の端部付近を付勢するための片寄せガイド１０８が設けられており、片寄せガイド１０８はロール紙Ｒ１の幅方向（下ケース１０４の長手方向）にスライド可能になっている。片寄せガイド１０８の支持方法については図４を用いて後述する。片寄せガイド１０８がロール紙Ｒ１の端面近傍を押すことでロール紙Ｒ１の幅方向ガタつきや斜行の防止に役立っている。
【００３３】
また、下ケース１０４には、ロール紙Ｒ１の先端をピックアップするためのピックアップガイド１０１が設けられており、ピックアップガイド１０１は図示していないバネによってロール紙方向に常に付勢されている。巻かれているロール紙Ｒ１の表面にピックアップガイド１０１の先端が沿うことで、給紙時にロール紙Ｒ１の先端を確実にピックアップできるようになっている。
【００３４】
図４を参照して、ロール紙Ｒ１の端部近傍を付勢している片寄ガイド１０８の加圧方法について説明する。図４（ａ）はロール紙収納ケース１を記録装置本体３に装填している途中の状態の概略斜視図であり、図４（ｂ）は、付勢部材と取り付け部の構成を示す展開図であり、図４（ｃ）は、片寄せ部材１０８を下ケース１０４の内側から見た概略断面図である。なお、構造を分かりやすくするために、上ケース１０３、ロール紙Ｒ１、およびロール紙軸１０２は省略している。また、下ケース１０４は、矢印Ａの方向に装填される。
【００３５】
給紙ローラ３１１は記録装置本体３内部のフレーム３１０に軸受３０９を介して回転可能に支持されており、給紙ローラ３１１と同軸上にスライド可能な付勢部材３１２が設けられている。付勢部材３１２は片寄せガイド１０８に接するスライダ３０８と圧縮バネ３０７で構成されており、軸受３０９から突出する突起３０９ａによりスライド可能に支持されている。スライダ３０８の先端の規制はＥリング３０６で行なわれる。下ケース１０４の端面はこの付勢部材３１２が侵入可能になっており、下ケース１０４を記録装置本体３に挿入していくと、下ケース１０４に取り付けた片寄せガイド１０８が付勢部材３１２により押されるようになっている。
【００３６】
片寄せガイド１０８は、下ケース１０４に設けられたＴ字型の突起１０４ｇにスライド可能に支持されている。このため下ケース１０４を記録装置本体３に挿入完了後、片寄せガイド１０８が下ケース１０４の長手方向内側にスライドし、ロール紙Ｒ１の端部を付勢することができ、ロール紙Ｒ１の幅方向のガタつきや斜行を防止することができる。
【００３７】
図５を参照して、加圧ガイド１０７の動きと被支持部１０２ｂの加圧方向について説明する。
【００３８】
図５は、上ケース１０３を閉じた状態のロール紙収納カセット１の端面の概略図であり、（ａ）はロール紙Ｒ１が未使用の状態、（ｂ）はロール紙Ｒ１を使いきった状態を示している。また、ロール紙収納ケース１が記録装置本体３に装填されていると仮定し、給紙ローラ３１１も図示している。また、加圧バネ１０６の様子がわかるように図示している。
【００３９】
ロール紙Ｒ１にロール紙軸１０２を挿入して下ケース１０４に収容し、上ケース１０３を閉じると、圧縮された加圧バネ１０６の弾性力によって加圧ガイド１０７が付勢され、被支持部１０２ｂが給紙ローラ３１１の方向へ押される。その結果、巻かれているロール紙Ｒ１の表面が給紙ローラ３１１に押し付けられる。そして、ロール紙Ｒ１の表面を給紙ローラ３１１に押し付けた状態で、ロール紙Ｒ１の先端がカセット出口１０４ｄに搬送されるように給紙ローラ３１１を回転させると、ロール紙Ｒ１が回転し、ロール紙Ｒ１の先端がロール紙収納カセット１の外へ送り出される。
【００４０】
未使用状態のロール紙Ｒ１が装填されている場合には、被支持部１０２ｂは給紙ローラ３１１とは離れた位置にあり、加圧バネ１０６が最も圧縮されている状態である。ロール紙Ｒ１への記録が行われていき、ロール紙Ｒ１の残りが減るにつれて、ロール紙Ｒ１の巻き径は小さくなっていき、ロール紙Ｒ１を使い切った場合には被支持部１０２ｂは最も給紙ローラ３１１に近い位置になる。このとき、加圧バネ１０６は伸びた状態になっている。巻かれているロール紙Ｒ１の表面を給紙ローラ３１１に押し付ける加圧力は、強く一定であることが望ましい。しかしながら、上記のように加圧バネ１０６はロール紙Ｒ１の巻き径の変動に追従して伸びていくため、加圧力を確保しつつ、できる限り巻き径を大きく、巻き数を多くしてバネ定数を小さくしておくことが望ましい。
【００４１】
ここで図３と図６を参照して、２種類のロール紙を適用可能にするためのロール紙軸とロール紙収納カセットの構成を説明する。図３は、幅の広いＬサイズのロール紙Ｒ１を示しており、図６は、幅の狭いポストカードサイズのロール紙Ｒ２を示している。ここで挙げたロール紙Ｒ１、Ｒ２のサイズは一例であり、２種類の様々なサイズのロール紙に適応することができる。
【００４２】
図３に示しているＬサイズのロール紙Ｒ１に対応するロール紙収納カセット１と、図６に示しているポストカードサイズのロール紙Ｒ２に対応するロール紙収納カセット１は共通部品である。異なる点は、ロール紙Ｒ１とロール紙Ｒ２とにそれぞれ挿入するロール紙軸１０２、４０４が異なることと、ポストカードサイズのロール紙Ｒ２を用いる場合には、図６に示すアタッチメント４０１、４０２がロール紙収納カセット１に装着される点である。
【００４３】
まず、ロール紙とロール紙軸の寸法関係を説明する。
【００４４】
図７と図８を参照して、図３と図６に示したロール紙Ｒ１、Ｒ２とロール紙軸１０２、４０４の径と長さの関係を説明する。
【００４５】
図７は、図２に示すＬサイズのロール紙Ｒ１とロール紙軸１０２を説明するための図であり、（ａ）は、ロール紙Ｒ１の寸法を示す図、（ｂ）は、ロール紙軸１０２の寸法を示す図である。
【００４６】
ロール紙Ｒ１の寸法は、ロール紙Ｒ１の幅がＬｒ１、ロール紙Ｒ１の内径がＤｒ１である。
【００４７】
ロール紙軸１０２は、実際にロール紙Ｒ１の内周部と接する芯部１０２ｃと、芯部１０２ｃの端面から突出する端部１０２ａと、端部１０２ａから突出し、下ケース１０４に支持される被支持部１０２ｂとを有している。また、芯部１０２ｃ、端部１０２ａ、被支持部１０２ｂの順に径が大きい。ロール紙軸１０２の端部同士１０２ａの間の長さがＬｃ１、ロール紙軸１０２の芯部１０２ｃの径がＤｃ１、ロール紙軸１０２の端部１０２ａの径がＤｓ１である。また、被支持部１０２ｂの径がＤｐ１である。
【００４８】
ロール紙Ｒ１にロール紙軸１０２が挿入可能でなければならないので、Ｄｒ１＞Ｄｃ１
という関係になっている。
【００４９】
図８は、図６に示すポストカードサイズのロール紙Ｒ２とロール紙軸４０４を説明するための図であり、（ａ）は、ロール紙Ｒ２の寸法を示す図であり、（ｂ）は、ロール紙軸４０４の寸法を示す図である。
【００５０】
ロール紙Ｒ２の寸法は、ロール紙Ｒ２の幅がＬｒ２、ロール紙Ｒ２の内径がＤｒ２である。また、ロール紙Ｒ２の幅Ｌｒ２は、Ｌｒ２＜Ｌｒ１となっている。
【００５１】
ロール紙軸４０４は、実際にロール紙Ｒ２の内周部と接する芯部４０４ｃと、芯部４０４ｃの端面から突出する端部４０４ａと、端部４０４ａから突出し、下ケース１０４に支持される被支持部４０４ｂとを有している。また、芯部４０４ｃ、端部４０４ａ、被支持部４０４ｂの順番に径が大きい。ロール紙軸４０４の端部同士４０４ａの間の長さがＬｃ２、ロール紙軸４０４の芯部４０４ｃの径がＤｃ２、ロール紙軸４０４の端部４０４ａの径がＤｓ２である。また、被支持部４０４ｂの径がＤｐ２である。
【００５２】
ロール紙Ｒ２にロール紙軸４０４が挿入可能でなければならないので、Ｄｒ２＞Ｄｃ２という関係になっている。
【００５３】
本実施形態の特徴は、Ｌサイズのロール紙Ｒ１の内径と、ポストカードサイズのロール紙Ｒ２の内径との関係が、Ｄｒ１＞Ｄｒ２である。そして、Ｌサイズのロール紙軸１０２の径とポストカードサイズのロール紙Ｒ２の内径の径との関係が、Ｄｃ１＞Ｄｒ２であり、ポストカードサイズのロール紙Ｒ２にＬサイズのロール紙軸１０２が挿入できないようになっている。また、Ｌサイズのロール紙軸１０２の端部１０２ａ同士の間の長さとポストカードサイズのロール紙軸４０４の端部４０４ａ同士の間の長さの関係が、Ｌｃ１＜Ｌｃ２となっていることである。
【００５４】
次に、図９を参照して、アタッチメント４０１、４０２を用いたときのロール紙収納カセット１について説明する。
【００５５】
図９はロール紙収納カセット１の下ケース１０４の上面図であり、（ａ）はアタッチメント４０１、４０２を取り付けていない状態、（ｂ）はアタッチメント４０１、４０２を取り付けた状態である。
【００５６】
アタッチメント４０１、４０２を取り付けていない状態（図９（ａ）参照）のロール紙収納幅をＷｒ１、下ケース１０４にアタッチメント４０１、４０２を取り付けた状態（図９（ｂ）参照）のロール紙収納幅をＷｒ２とすると、Ｗｒ１＞Ｗｒ２となる。また、Ｗｒ１＞Ｌｒ１、Ｗｒ２＞Ｌｒ２となっているため、アタッチメント４０１、４０２を取り付けていない場合（図９（ａ）参照）、Ｌサイズのロール紙Ｒ１が収納可能である。アタッチメント４０１、４０２を取り付けた場合（図９（ｂ）参照）、ポストカードサイズのロール紙Ｒ２が収納可能である。
【００５７】
つまり、アタッチメント４０１、４０２を取り付けた下ケース１０４のロール紙収納幅は、アタッチメント４０１、４０２の幅分だけ狭くなっている。この状態でＬサイズのロール紙Ｒ１を入れようとしても、ロール紙収納幅Ｗｒ２とＬサイズのロール紙Ｒ１の幅Ｌｒ１の関係は、Ｗｒ２＜Ｌｒ１と設定しているため、Ｌサイズのロール紙Ｒ１をロール紙収納カセット１に配置することができない。
【００５８】
図１０は、アタッチメント４０１の概略斜視図であり、（ａ）がロール紙Ｒ２と接する側の面、（ｂ）が裏面（ロール紙収納カセット１の端面と接する側の面）、（ｃ）がアタッチメント４０１に取り付けられる片寄せガイド４０３を示している。これらの図を用いてアタッチメント４０１について説明する。
【００５９】
アタッチメント４０１には弾性変形可能な腕４０１ａが設けられており、アタッチメント４０１が下ケース１０４に装着される時には、この腕４０１ａが撓み、腕４０１ａの爪４０１ｃが下ケース１０４の係止部（不図示）に係止される。取り外し時には、再度この腕４０１ａを撓ませて、爪４０１ｃを下ケース１０４の係止部から退避させて下ケース１０４からアタッチメント４０１を取り外す。
【００６０】
下ケース１０４に取り付ける２つのアタッチメント４０１、４０２のうち、一方のアタッチメント４０１には切欠き部４０１ｂが設けられており、この切欠き部４０１ｂには、片寄せガイド４０３が取り付けられる。他方のアタッチメント４０２には切欠き部はなく片寄せされたロール紙Ｒ２が沿うための基準面を形成する。片寄せガイド４０３は、図１０（ｂ）で示すアタッチメント４０１の裏面から取り付けられ、アタッチメント４０１のガイド軸４０１ｄに片寄せガイド４０３の孔４０３ａが嵌合しスライド可能に支持される。片寄せガイド４０３がアタッチメント４０１に取り付けられると、アタッチメント４０１の引っ掛け部４０１ｅにより片寄せガイド４０３の動きが規制され、外れるのを防止している。片寄せガイド４０３を取り付けたアタッチメント４０１を下ケース１０４に取り付け後、ポストカードサイズのロール紙Ｒ２を挿入したロール紙軸４０４を下ケース１０４に収容し、上ケース１０３を閉じ、ロール紙収納ケース１を記録装置本体に装填する。図４を用いて上述した付勢部材３１２によって片寄せガイド１０８が付勢されてポストカードサイズ用の片寄せガイド４０３を押圧し、この片寄せガイド４０３がポストカードサイズのロール紙Ｒ２の端面を押し、ロール紙Ｒ２を片寄せする。
【００６１】
なお、アタッチメント４０１、４０２ともにロール紙軸４０４の端部４０４ａが挿入可能な溝４０１ｊが設けられている。
【００６２】
また、ロール紙のサイズを識別するための検知用突起４０１ｇが設けられている。ロール紙のサイズによって、下ケース１０４に取り付けられるアタッチメント４０１の種類が異なる。そのため、アタッチメント４０１の種別を判断することで、ロール紙のサイズが検知可能になっている。検知方法については後述する。
【００６３】
さらに、ロール紙誤装填防止機構の一部を構成する突起４０１ｆも設けられている。ロール紙誤装填防止機構については後述する。
【００６４】
図１１は、アタッチメント４０１が取り付けられたときのロール紙収納ケース１の概略構成図である。図１１（ａ）は、アタッチメント４０１が取り付けられている側のロール紙収納ケース１の端部を外部からみたときの概略概略図であり、図１１（ｂ）は、図１１（ａ）のＹＹ’の断面の概略図である。
【００６５】
下ケース１０４の端面には、その中心を貫通している孔１０４ｊを有する窪んだ凹部１０４ｋを有する判別部１０４ｈが設けられており、この孔１０４ｊ内に、アタッチメント４０１の突起部４０１ｇの先端が位置している。上ケース１０３と下ケース１０４が閉じた状態でも孔１０４ｄから検知用突起４０１ｇが見えるようになっている。
【００６６】
４つの突起を有するアタッチメント識別用センサ５が記録装置本体３に設けられている。この突起が押されることによって信号が発生し、アタッチメントの種別の判断を行なっている。図示しないが、アタッチメントなしの状態でロール紙収納カセット１を記録装置本体３に装填した場合は、判別部１０４ｈの凹部１０４ｋの面がセンサ５の一番下の突起のみを押し、アタッチメントなし、つまり、ロール紙のサイズがＬサイズであると検知する。アタッチメント４０１を装着した状態でロール紙収納カセット１を記録装置本体３に装填した場合は、判別部１０４ｈの凹部１０４ｋの面とアタッチメント４０１の突起４０１ｇによってセンサ５の上から２番目の突起と一番下の突起が押される。このことにより、ロール紙のサイズがポストカードサイズであることを検知する。アタッチメントごとに突起４０１ｇの位置を変えたり、突起４０１ｇの数を増やしたりすることで、アタッチメントごとに突起４０１ｇが押すアタッチメント識別用センサ５の突起の位置が変わるので、複数種類のアタッチメントを認識することができる。
【００６７】
次に、図１２を用いてロール紙誤装填防止機構について説明する。
【００６８】
下ケース１０４にアタッチメント４０１、４０２を取り付けていない場合（図９（ａ）参照）は、Ｗｒ１＞Ｌｒ２である。そのため、Ｌサイズのロール紙Ｒ１だけでなく、Ｌサイズよりも幅の小さいポストカードサイズのロール紙Ｒ２やカードサイズのロール紙Ｒ３を収納可能となってしまう。そこで、本実施形態のロール紙収納カセットでは、アタッチメント４０１、４０２を取り付けていない場合に、ポストカードサイズとカードサイズのロール紙Ｒ２、Ｒ３を収納不可能とし、Ｌサイズのロール紙Ｒ１のみが収納可能となるようにする。そのため、以下のようなロール紙誤装填防止機構が設けられている。
【００６９】
図１２は、図９に示す下ケース１０４のＳ−Ｓ断面の概略図であり、（ａ）はアタッチメント４０１がない場合、（ｂ）はアタッチメント４０１が取り付けられている場合である。
【００７０】
下ケース１０４の端部に設けられたトーションバネ１１１、規制部材となる規制レバー１１０、被支持部用溝１０４ｂ、凹状の溝１０４ｅおよびアタッチメント４０１の突起４０１ｆでロール紙誤装填防止機構が構成されている。上述したように、凹状の溝１０４ｅの幅は、被支持部用溝１０４ｂの幅よりも大きい。
【００７１】
被支持部用溝１０４ｂの幅をＭ１、凹状の溝１０４ｅの幅をＭ２とすると、Ｍ２＞Ｄｓ２＝Ｄｓ１＞Ｍ１、Ｍ１＞Ｄｐ１＝Ｄｐ２となっている。ここで、Ｌｃ２＞Ｗｒ１＞Ｌｃ１となるようにする。
【００７２】
アタッチメントなしの状態において、トーションバネ１１１によって付勢されることで規制レバー１１０が回動して、凹状の溝１０４ｅ内に規制レバー１１０が位置することができる（この位置を規制位置とする）。ただし、規制レバー１１０は、被支持部用溝１０４ｂに位置することはない。
【００７３】
図１２（ａ）に示すように、アタッチメント４０１なしの状態では、規制レバー１１０はトーションバネ１１１によって図中時計回りに付勢され、凹状の溝１０４ｅに突出した状態、つまり規制レバー１１０が規制位置に位置する。Ｌサイズのロール紙Ｒ１用のロール紙軸１０２の場合、Ｗｒ１＞Ｌｃ１より、Ｄｐ１の径を有する被支持部１０２ｂのみが凹状の溝１０４ｅと被支持部用溝１０４ｂを通過する。そのため、規制レバー１１０が凹状の溝１０４ｅに突出してもロール紙軸１０２を所定の位置に配置できる。
【００７４】
一方、ポストカードサイズのロール紙Ｒ２用のロール紙軸４０４の場合、Ｌｃ２＞Ｗｒ１であることから、ロール紙軸４０４のＤｓ２の径を有する端部４０４ａは凹状の溝１０４ｅを通る必要がある。そのため、ロール紙軸４０４を所定の位置に向かって押し込もうとしてもロール紙軸４０４の端部４０４ａが規制レバー１１０により進入を妨げられ、押し込むことができなくなる。
【００７５】
図１２（ｂ）に示すように、下ケース１０４にアタッチメント４０１（図１２（ｂ）には突起４０１ｆのみを図示）を装着すると、アタッチメント４０１に設けられた突起４０１ｆが開口１０４ｆを通って押し込まれる。そして、規制レバー１１０と当接し、規制レバー１１０を押し込む。押し込まれた規制レバー１１０は反時計回りに回動し、凹上の溝１０４ｅから退避した状態になる（この位置を非規制位置とする）。したがって、ポストカードサイズ用のロール紙軸４０４の端部４０４ａが凹状の溝１０４ｅを移動でき、ポストカードサイズ用のロール紙軸４０４を所定の位置に配置することができる。
【００７６】
このように、アタッチメント４０１、４０２の取り外し状態では、規制部材１１０は、特定の種類のロール紙軸（ポストカードサイズのロール紙Ｒ２用のロール紙軸４０４）の進入を妨げる。それと同時に、他の特定の種類のロール紙軸（Ｌサイズのロール紙Ｒ１用のロール紙軸１０２）の進入を許容することができる。そして、アタッチメント４０１、４０２の取り付けによって、ポストカードサイズのロール紙軸４０４の進入を妨げる位置から妨げない位置に移動させられる。
【００７７】
また、Ｗｒ２＜Ｌｒ１から、アタッチメント４０１、４０２を装着したロール紙収納カセット１にはＬサイズのロール紙Ｒ１を入れることができない。さらに、Ｗｒ１＜Ｌｃ２とから、ポストカードサイズ用のロール紙軸４０４はアタッチメント４０１、４０２のついていないロール紙収納カセット１には入れることができない。
【００７８】
また、ロール紙収納カセット１をプリンタ本体３に装填した時のカセット種別検知スイッチ５が検出したロール紙のサイズと実際にロール紙収納カセット１に入っているロール紙のサイズが一致した状態で記録を行なうことができる。そのため、ロール紙の搬送量の制御や記録サイズの設定が正しく行え、紙詰まり、記録画像のはみ出し、または余白の発生を防ぐことができる。
【００７９】
Ｄｃ１＞Ｄｒ２となるため、Ｌサイズ用のロール紙軸１０２をポストカードサイズのロール紙Ｒ２に挿入することはできない。
【００８０】
共通のロール紙収納カセット１で複数サイズのロール紙を使用するのではなく、それぞれのロール紙のサイズに応じたロール紙収納カセットを用意することができるならば、アタッチメント４０１、４０２を下ケース１０４と一体化してもよい。この場合は、Ｍ１の幅を有する被支持部用溝１０４ｂとＭ２の幅を有する凹状の溝１０４ｅのみでロール紙の誤装填を防止できるので、規制レバー１１０を用いるロール紙誤装填防止機構を備える必要がなく、より単純にロール紙の誤装填を防止できる。
【００８１】
［実施形態２］
図１３を用いて、本発明に係る記録装置の他の実施形態のロール紙収納カセットについて説明する。上述の実施形態では、ロール紙のサイズが２種類であったが、本実施形態では、上述の２種類のロール紙Ｒ１、Ｒ２のほかに、カードサイズのロール紙Ｒ３を加えた３種類のロール紙に対応する場合について説明する。なお、上述の実施形態と同様の構成については、説明を省略する。
【００８２】
図１３は、カードサイズのロール紙Ｒ３を使用するときのロール紙収納カセット１の概略構成図である。
【００８３】
カードサイズのロール紙Ｒ３を使用する場合はポストカードサイズのロール紙Ｒ２を使用するときと同様、ロール紙収納カセット１にカードサイズのロール紙Ｒ３用のアタッチメント６０１、６０２を装着する。
【００８４】
なお、アタッチメント６０１、６０２の基本的な構成は、ポストカードサイズのロール紙Ｒ２用のアタッチメント４０１、４０２と同様であるが、ロール紙軸６０４（図１４参照）を固定するための溝６０１ｊ、６０２ｊの形状が異なっている。本実施形態の溝６０１ｊ、６０２ｊは、段部が設けられていることにより、２段階の幅を有し、その幅は、下ケース１０４の端部側では小さく、ロール紙Ｒ３と接する側では大きくなっている。
【００８５】
一方のアタッチメント６０１にはポストカードサイズのロール紙Ｒ２用のアタッチメント４０１と同様に、カードサイズのロール紙Ｒ３の外周を片寄せするための片寄せガイド６０３が取り付けられている。
【００８６】
図１４は、カードサイズのロール紙Ｒ３とロール紙軸６０４を説明するため図であり、（ａ）は、ロール紙Ｒ３の寸法を示す図、（ｂ）は、ロール紙軸６０４の寸法を示す図である。
【００８７】
ロール紙Ｒ３の寸法は、ロール紙Ｒ３の幅がＬｒ３、ロール紙Ｒ３の内径がＤｒ３である。ここで、Ｌｒ３＜Ｌｒ２である。
【００８８】
ロール紙Ｒ３用のロール紙軸６０４は、芯部６０４ｃと、端部６０４ａと、端部６０４ａの間に、芯部６０４ｃの径と端部６０４ａの径の間の径を有する段部６０４ｄと、端部６０４ａから突出する被支持部６０４ｂとを有する。
【００８９】
芯部６０４ｃ、段部６０４ｄ、端部６０４ａ、被支持部６０４ｂの順番に径が大きい。
【００９０】
ロール紙軸６０４は、ロール紙軸６０４の段部同士６０４ｄの間の長さがＬｃ３である。ロール紙軸６０４の芯部６０４ｃの径がＤｃ３、ロール紙軸６０４の段部６０４ｄの径をＤｓ３、ポストカードサイズのロール紙軸４０４と同形状の部分（Ｄｓ２、Ｌｃ２、Ｄｐ２は図８参照））は説明を省略する。
【００９１】
Ｄｒ１＞Ｄｃ１＞Ｄｒ２＞Ｄｃ２＞Ｄｒ３＞Ｄｃ３となるようにすることで、カードサイズのロール紙Ｒ３に、ポストカードサイズ用のロール紙軸４０４やＬサイズ用のロール紙軸１０２を挿入できないため、ロール紙軸の誤挿入を防止することができる。
【００９２】
仮に、ユーザーがロール紙にロール紙軸を差し込む形態ではなく、ロール紙とロール紙軸とが一体の状態にあるものを使用する形態にするのであれば、ロール紙軸に誤挿入防止のための構造を設ける必要がなく、単純な構成にできる。
【００９３】
カードサイズのロール紙軸６０４がアタッチメント６０１、６０２を未装着のロール紙収納カセット１に装着できないようにする構成は、上述の実施形態と同様である。アタッチメント６０１、６０２を未装着の場合、下ケース１０４に設けられた規制レバー１１０が凹状の溝１０４ｅに位置しているため、ロール紙軸６０４の端部６０４ａの移動が、規制レバー１１０によって妨げられる。
【００９４】
アタッチメント６０１の裏面（ロール紙収納カセット１の端部と接する側の面）にはポストカード用アタッチメント４０１と同様に、規制レバーを回動させるための突起とカセット種別検知用の突起が設けられている。そのため、上述の実施形態と同様にアタッチメント６０１、６０２を装着することで、規制レバー１１０は凹状の溝１０４ｅから退避することができる。
【００９５】
図１５は、アタッチメント６０１、６０２を取り付けたときのロール紙収納カセット１の下ケース１０４の上面図である。
【００９６】
アタッチメント６０１、６０２を取り付けた状態のロール紙収納幅はＷｒ３である。また、アタッチメント６０１、６０２同士の溝６０１ｊ、６０２ｊの径が変わる位置同士の間の長さをＷｒ４とすると、Ｌｒ３＜Ｗｒ３＜Ｌｃ３＜Ｗｒ４とする。Ｌｒ１＞Ｌｒ２＞Ｗｒ３＞Ｌｒ３となっているため、アタッチメント６０１、６０２を取り付けた下ケース１０４には、Ｗｒ３よりも幅の大きいＬサイズとポストカードサイズのロール紙Ｒ１、Ｒ２は収納できず、カードサイズのロール紙Ｒ３のみが収納可能である。ちなみに、溝６０１ｊ、６０２ｊの太い部分（ロール紙Ｒ３と接する側）の幅は、段部６０４ｄの径Ｄｓ３よりも大きい。また、溝６０１ｊ、６０２ｊの細い部分（下ケース１０４の端部側）の幅は、端部６０４ａの径Ｄｓ２よりも大きく、段部６０４ｄの径Ｄｓ３よりも小さい。このようにすることで、ロール紙Ｒ３を挿入したロール紙軸６０４を、下ケース１０４に配置できる。
【００９７】
また、Ｌｒ３＜Ｗｒ２であるので、アタッチメント４０１、４０２を取り付けた下ケース１０４の場合（図９（ｂ）参照）、カードサイズのロール紙Ｒ３は収納可能となってしまう。そこで、本実施形態のロール紙収納カセットでは、Ｗｒ４＞Ｌｃ３＞Ｗｒ２＞Ｗｒ３とし、さらに、Ｄｓ３を、アタッチメント４０１の溝４０１ｊの幅（径）よりも大きくしている。従って、カードサイズのロール紙Ｒ３が差し込まれたロール紙軸６０４を、アタッチメント４０１、４０２が取り付けられた下ケース１０４に装着しようとすると、ロール紙軸の段部６０４ｄが、アタッチメント４０１の溝４０１ｊと干渉し、軸を装着できなくなる。
【００９８】
以上のことより、Ｌサイズ、ポストカードサイズ、およびカードサイズのロール紙Ｒ１、Ｒ２、Ｒ３を用いる場合においても、ロール紙と、アタッチメントと、ロール紙軸の組み合わせを一致させることが容易にできる。また、ロール紙収納カセット１に装填されたロール紙を正しく検出できるので、ロール紙搬送の制御や記録サイズの設定が正しくでき、紙ジャムや画像のはみ出し、余白の発生を防ぐことができる。
【００９９】
上述の説明では、３種類のサイズのロール紙を記録装置に適用する方法を説明したが、４種類以上のサイズのロール紙を適用する場合は、ロール紙軸に段部を複数設けるようにすればよい。それに合わせて、アタッチメントの溝の形状も変化させればよい。
【符号の説明】
【０１００】
１  ロール紙収納カセット
１０３上ケース
１０４下ケース
４０１、４０２アタッチメント
【図１】
0005562148.tif 000002
【図２】
0005562148.tif 000003
【図３】
0005562148.tif 000004
【図４】
0005562148.tif 000005
【図５】
0005562148.tif 000006
【図６】
0005562148.tif 000007
【図７】
0005562148.tif 000008
【図８】
0005562148.tif 000009
【図９】
0005562148.tif 000010
【図１０】
0005562148.tif 000011
【図１１】
0005562148.tif 000012
【図１２】
0005562148.tif 000013
【図１３】
0005562148.tif 000014
【図１４】
0005562148.tif 000015
【図１５】
0005562148.tif 000016